(57)【要約】【目的】一対の軸部と、該一対の軸部へ線対称に連結されるフラッグ素子と、を実質的に同一平面上に配置してなるアンテナの利得を向上させる。【構成】当該アンテナにおいての軸部へ連結されるフラッグ素子の数を６〜１２とする。フラッグ素子の形状は軸部と平行な第１の辺と軸部に垂直な第２の辺とを有する長方形とし、第２の辺の長さを前記第１の辺の長さの約３倍とする。【選択図】      図２
2006157072.tif 000002
【特許請求の範囲】
【請求項１】
平行な一対の軸部と、該一対の軸部へ線対称に連結されるフラッグ素子と、を実質的に同一平面上に配置してなるアンテナユニットを含むアンテナであって、
一方の前記軸部へ連結される前記フラッグ素子の数が６〜１２である、ことを特徴とするアンテナ。
【請求項２】
前記フラッグ素子は前記軸部と平行な第１の辺と前記軸部に垂直な第２の辺とを有する長方形である、ことを特徴とする請求項１に記載のアンテナ。
【請求項３】
前記第２の辺の長さは前記第１の辺の長さの約３倍である、ことを特徴とする請求項２に記載のアンテナ。
【請求項４】
前記第２の辺が延長して前記フラッグ素子が前記軸部に連結される、ことを特徴とする請求項２又は３に記載のアンテナ。
【請求項５】
一対の前記アンテナユニットが同一平面上において線対称に配置されている、ことを特徴とする請求項１〜４のいずれかに記載のアンテナ。
【発明の詳細な説明】
【０００１】
【産業上の利用分野】
本発明はアンテナに関する。
【０００２】
【従来の技術】
指向性が広く、小型化に適したアンテナとして特許文献１に開示のものがある。このアンテナ１は、図１に示すように、平行な一対の軸部２、３とこの軸部に連結されるフラッグ素子５−１ａ〜１ｄ及び５−２ａ〜２ｄを平面的な基板７に配置してなる。図中の符号８、９はターミナルであって、アンテナ１を外部回路へ連結する。
【０００３】
特許文献１
特許第３３２３４４２号  図１０
【０００４】
【発明が解決しようとする課題】
本発明者らは、上記タイプのアンテナを改良すべく鋭意検討を重ねてきた。その結果、フラッグ素子の個数やその形状を調整することにより、アンテナの利得が変化することに気付いた。
即ち、この発明は、一対の軸部と、該一対の軸部へ線対称に連結されるフラッグ素子と、を実質的に同一平面上に配置してなるアンテナにおいて利得を向上しようとするものである。
【０００５】
【課題を解決するための手段】
本発明者らの検討によれば、一方の軸部へ連結されるフラッグ素子の数を６〜１２とすると、アンテナの利得に向上がみられた。
また、フラッグ素子の形状は軸部と平行な第１の辺と軸部に垂直な第２の辺とを有する長方形とすることが好ましく。特に、第２の辺の長さを前記第１の辺の長さの約３倍とすることが利得向上の見地から好ましい。
【０００６】
【実施例】
以下、この発明を実施例を用いてより詳細に説明する。
図２に実施例のアンテナ１０の構造を示す。このアンテナ１０は樹脂製のフレキシブル基板１１上に図示のパターンの導電性の薄膜部１２が形成されてなる。この薄膜部１２がアンテナとして機能する。
薄膜部１２のパターンは次のように構成されている。図示中央に配設される一対の軸部１３、１４はその上端で連結されている。各軸部１３、１４にはそれぞれ８つのフラッグ素子１５及び１６が連結されている。図中の符号１７、１８はターミナルである。このパターンは軸部１３、１４の中央線を中心とした線対称の形状である。
また、軸部１３、１４の上端（ターミナルから離れた端部）とフラッグ素子１５及び１６の上端とは面一とするか若しくは軸部１３、１４の方がフラッグ素子１５及び１６より少し突出しているようにすることが好ましい。
【０００７】
各フラッグ素子１５、１６は長方形枠形状であり、軸部１３、１４に垂直な横辺（第２の辺）１５ｂ、１６ｂはその縦辺（第１の辺）１５ａ、１６ａの約３倍の長さを有する。また、横辺１５ｂ、１６ｂがそれぞれ延長して各軸部１３、１４に連結している。かかる構成を採用することにより各フラッグ素子１５、１６の利得が向上し、結果としてアンテナ全体の利得が向上する。
この実施例では長方形枠形状のフラッグ素子を採用したが、閉じた枠形状であれば他の形状のフラッグ素子を採用することも可能である。
【０００８】
かかる構成のアンテナ１０は基板１１の上に薄膜部１２を印刷して形成される。予めパターン形成された薄膜部１２を基板１１へ張り付けてもよい。なお、大型のアンテナを構成する場合などにおいて、パターンを構成する導電性材料に充分な保形性能が確保できれば基板１１を省略することもできる。また、基板１１としてフレキシブルな材料を用いた場合、アンテナの特性を保持した状態でこれを変形させることができる。
このアンテナ１０はパターンを縮小若しくは拡大することによりパターンの抵抗（ターミナル１７−１８間の抵抗）を変化させ、もって目的とする送受信電波の周波数に対応させることができる。例えば、テレビ放送を受信する場合にはパターン抵抗をほぼ７５オームとし、通信用としてはパターン抵抗をほぼ５０オームとする。
【０００９】
このアンテナ１０によれば、ターミナル１７、１８に高周波数の交流電圧が印加されたとき、例えば軸部１３側のフラッグ素子１５に正電荷が誘導され他方軸部１４側のフラッグ素子１６に負電荷が誘導される。その結果、軸部１３、１４間に電流がながれて電磁波が放射されると考えられる。
本発明者らの検討によれば、テレビ電波受信において、図１に示した従来例のアンテナでは受信画像が乱れてその画像を認識できない条件においてこの実施例のアンテナを用いた場合、テレビ画像が明確に見えるようになった。また、従来例と同様に広い指向性と広い対応周波数帯域を有することも確認できた。
【００１０】
図３には他の実施例のアンテナ２０を示す。この実施例のアンテナ２０は基板２１上に図示パターンの薄膜部２２を形成したものである。
薄膜部２２のパターンは、図２に示すパターン（アンテナユニット）１１Ａ、１１Ｂを線対称に並べてその上端で連結し、下端にターミナル２７、２８を設けた構成である。図２と実質的に同一要素には同一符号を付してその説明を省略する。
このアンテナ２０によれば、ターミナル２７、２８に高周波数の交流電圧が印加されたとき、例えばアンテナユニット１１Ａに正電荷が誘導され他方アンテナユニット１１Ｂに負電荷が誘導される。その結果、両者の間に電流がながれ電磁波が放射されると考えられる。
本発明者らの検討によれば、テレビ電波受信において、図１に示した従来例のアンテナでは受信画像が乱れてその画像を認識できない条件においてこの実施例のアンテナを用いた場合、テレビ画像が明確に見えるようになった。また、従来例と同様に広い指向性と広い対応周波数帯域を有することも確認できた。
【００１１】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【図１】従来例のアンテナの構造を示す平面図である。
【図２】この発明の実施例のアンテナの構造を示す平面図である。
【図３】この発明の他の実施例のアンテナの構造を示す平面図である。
【符号の説明】
１、１０、２０  アンテナ
２、３、１３、１４  軸部
５−１、５−２、１５、１６  フラッグ素子
【図１】
2006157072.tif 000003
【図２】
2006157072.tif 000004
【図３】
2006157072.tif 000005